(57)【特許請求の範囲】
【請求項１】
システムの作動方法であって、
狭窄の出口流量レートを、前記狭窄の出口における有効直径又は半径、前記狭窄の入口の直径又は半径、及び前記狭窄の前記入口における流量レートに基づき推定するステップと、
前記狭窄の前記入口における大動脈血圧、前記出口流量レート、及び粗計算流体力学シミュレーションに基づき、前記狭窄の抵抗値を推定するステップと、
抽出された特徴及び学習モデルに基づき、複数の異なる所定のクラスの内の１つとして前記狭窄を有する心臓血管の未知の冠血流予備量比メトリックを分類するステップであって、前記抽出された特徴は、前記狭窄の前記の推定出口流量レート又は前記の推定出口抵抗値を含む、前記狭窄の１又は複数の境界条件を含む、ステップと、
前記分類を示す信号を生成するステップと、
を有する作動方法。
【請求項２】
前記分類は、前記未知のＦＦＲの数値を生成することを含み、前記作動方法は、
前記数値に基づき、前記未知の冠血流予備量比メトリックを分類するステップ、
を更に有する請求項１に記載の作動方法。
【請求項３】
特徴は、狭窄百分率、狭窄長、大動脈と前記狭窄との間の距離、狭窄位置、心室サイズ、心筋塊、冠状動脈の形状、冠状動脈の中心線、のうちの１又は複数を含む、請求項１又は２に記載の作動方法。
【請求項４】
前記特徴は、前記狭窄の前記入口、前記狭窄の中央領域若しくは前記狭窄の前記出口のうちの少なくとも１つの周辺の関心強度セットに対応するボクセルの部分集合、前記狭窄の前若しくは前記狭窄の後のうちの少なくとも１つの中央値強度、前記狭窄の前記入口、前記出口若しくは中心領域のうちの少なくとも１つにおける周囲の強度プロファイル、又は前記血管に沿う強度プロファイル、１又は複数の検査結果、バイタルサイン、被写体の履歴若しくは被写体家族の履歴、又は計算流体力学シミュレーションの結果、のうちの１又は複数を含む、請求項３に記載の作動方法。
【請求項５】
抵抗値項及び流量速度項を含むエネルギ関数を最小化することにより、前記の推定抵抗値を最適化するステップと、
を更に有する請求項１に記載の作動方法。
【請求項６】
前記狭窄の前記推定出口流量レート及び前記狭窄の前記推定抵抗値に基づき、次の計算流体力学シミュレーションを実行するステップ、
を更に有する請求項５に記載の作動方法。
【請求項７】
前記狭窄の冠血流予備量比の点推定を推定するステップであって、該点推定を示す第２の信号を生成する、ステップ、
を更に有する請求項１乃至６のいずれか一項に記載の作動方法。
【請求項８】
前記推定するステップは、トレーニングセットの又は前記トレーニングセットからの関連クラスセットのみからの所定数の最近傍サンプルのうちの少なくとも１つに基づき加重補間を用いるステップであって、前記関連クラスセットは、前記分類クラスに対応するクラスである、ステップ、
を有する、請求項７に記載の作動方法。
【請求項９】
前記の推定冠血流予備量比の信頼区間を決定し、該信頼区間を示す第３の信号を生成するステップ、
を更に有する請求項６又は７に記載の作動方法。
【請求項１０】
狭窄の未知の冠血流予備量比の冠血流予備量比分類を決定するよう構成されるデータ分析器、
を有し、前記データ分析器は、
血管の狭窄の少なくとも１つの境界条件を、前記血管及び前記狭窄の提示を含む画像データに基づき、推定するよう構成される境界条件推定器であって、前記境界条件は、前記狭窄の推定出口流量レート又は前記狭窄の推定出口抵抗値のうちの少なくとも１つを含み、
前記境界条件推定器は、前記狭窄の出口における有効直径又は半径、前記狭窄の入口における直径又は半径、及び前記狭窄の前記入口における流量レートに基づき、前記狭窄の出口流量レートを推定し、
前記境界条件推定器は、反復的アルゴリズムを用いて、前記狭窄の前記入口における大動脈血圧及び前記出口流量レートに基づき、前記狭窄の抵抗値を推定する、境界条件推定器と、
前記狭窄及び対応する血管を表す画像データ内の少なくとも１つのセグメント化関心組織、前記狭窄の前記推定境界条件、及び前記画像データ又は被写体データからの強度情報から１又は複数の特徴を抽出するよう構成される特徴抽出器と、
前記狭窄の前記推定出口流量レート及び前記狭窄の前記推定出口抵抗値の抽出された特徴を含む抽出された特徴及び学習モデルに基づき、複数の異なる所定のクラスのうちの１つに、前記未知の冠血流予備量比を分類するよう構成される分類器と、
を有するシステム。
【請求項１１】
前記データ分析器は、
トレーニングセットの又は前記トレーニングセットからの関連クラスセットのみからの所定数の最近傍サンプルのうちの少なくとも１つに基づき、加重補間を用いて前記狭窄の前記冠血流予備量比の点推定を推定するよう構成されるＦＦＲ推定器であって、前記関連クラスセットは、前記分類クラスに対応するクラスである、ＦＦＲ推定器、
を更に有する、請求項１０に記載のシステム。
【請求項１２】
前記データ分析器は、
前記推定冠血流予備量比の信頼区間を決定するよう構成される信頼区間決定器、
を更に有する、請求項１１に記載のシステム。
【請求項１３】
患者データにより訓練された機械学習アルゴリズムを用いて、前記狭窄の前記入口における前記流量レートを決定するよう構成されるパラメータ決定器であって、前記患者データは、画像若しくは非画像データ、及び心臓カテーテル法により決定された他の患者の流量レート測定値のうちの少なくとも１つを含む、パラメータ決定器、
を更に有する請求項１１に記載のシステム。
【請求項１４】
前記境界条件推定器は、前記流量レートに基づき、前記狭窄の速度を推定する、請求項１１乃至１３のいずれか一項に記載のシステム。
【請求項１５】
前記データ分析器は、
前記少なくとも１つの境界条件に基づき計算流体力学シミュレーションを実行するよう構成されるＣＦＤプロセッサと、
前記ＣＦＤプロセッサの結果に基づき、前記狭窄のＦＦＲを決定するよう構成されるＦＦＲ決定器と、
を更に有する、請求項１１乃至１４のいずれか一項に記載のシステム。
【発明の詳細な説明】
【技術分野】
【０００１】
以下は、概して、冠血流予備量比指標に関し、コンピュータ断層撮影法（computed  tomography：ＣＴ）への特定の適用と共に記載される。しかしながら、以下は、Ｘ線、磁気共鳴撮像法（magnetic  resonance  imaging：ＭＲＩ）及び／又は他の画像化モダリティを含む他の画像化モダリティにも適する。
【背景技術】
【０００２】
ＦＦＲは、冠動脈造影法中に行われる圧力測定から計算される冠動脈狭窄の機能的重症度の指標であり、充血状態における（起始部（Ostium）近くの）中心血圧に対して（狭窄の陰にある）抹消血圧として定められる。言い換えると、ＦＦＲ指標は、狭窄の存在しないと仮定したときの最大流量に対する、狭窄の存在するときの血管を流れる最大流量を表す。ＦＦＲ値は、０乃至１の間の絶対値であり、値０．０５は、所与の狭窄が５０％の血圧降下で生じることを示し、狭窄の程度の診断を可能にする。
【０００３】
ＦＦＲ指標は、狭窄の前後の血圧を得るために、圧力ワイヤを用いて測定されている。例えば、冠状動脈カテーテル法の間、カテーテルは、鞘及び誘導ワイヤを用いて大腿部又は橈骨動脈に挿入される。カテーテルの先端に添えられるセンサは、狭窄のところに位置決めされる。カテーテル及びしたがってセンサは引き戻され、血管形状、血管コンプライアンス及び血管抵抗、及び／又は他の特性に影響する様々な作用物質により促進される状況の間、狭窄に渡って、センサは圧力、温度、流量を検知し、これらは記録される。残念ながら、このアプローチは、コスト高であり侵襲性が少なく、患者を健康リスクに晒す。
【０００４】
ＦＦＲ指標を推定するための非侵襲性アプローチは、冠動脈を通じる血流及び血圧がシミュレートされる計算流体力学（computational  fluid  dynamic：ＣＦＤ）シミュレーションを経る。このアプローチでは、３Ｄ冠状動脈形状は、患者の心臓ＣＴに基づく。残念ながら、このアプローチでは、抽出された形状の外側の境界条件（つまり、流量、圧力、及び／又は抵抗）は良好に定められず、入口（起始部）及び血管出口における流量及び圧力の値は、ＦＦＲ推定精度に大いに影響する。このアプローチは、時間コストが高く、集中的計算（例えば、最大で数時間）を要し、非常に高品質の幾何学的データ（例えば、冠動脈区分）を想定し、これは有意な手動の編集を暗示する場合が多い。
【発明の概要】
【発明が解決しようとする課題】
【０００５】
本願明細書に記載の態様は、上述の問題及び他の問題を解決する。
【課題を解決するための手段】
【０００６】
以下に記載のように、未知のＦＦＲは、特定の抽出された特徴に基づき分類される。さらに、未知のＦＦＲの推定は、特定の抽出された特徴に基づき決定され得る。さらに、信頼区間は、推定されるＦＦＲについて決定され得る。別の例では、シミュレーションによりＦＦＲを決定する境界条件が決定される。境界条件は、未知のＦＦＲを分類するために用いることができる。
【０００７】
第１の態様では、方法は、抽出された特徴及び学習モデルに基づき、複数の異なる所定のクラスの内の１つとして狭窄を有する心臓血管の未知の冠血流予備量比メトリックを分類し、及び前記分類を示す信号を生成するステップであって、前記抽出された特徴は、前記心臓血管及び前記狭窄の提示を有する画像データからセグメント化されたセグメント化画像データから抽出される、ステップ、を有する。
【０００８】
別の態様では、方法は、抽出された特徴及び学習モデルに基づき、複数の異なる所定のクラスの内の１つに、心臓血管の狭窄の未知の冠血流予備量比メトリックを推定し、及び前記推定を示す信号を生成するステップであって、前記抽出された特徴は、前記心臓血管及び前記狭窄の提示を有する画像データからセグメント化されたセグメント化画像データから抽出される、ステップ、を有する。
【０００９】
別の態様では、方法は、血管の狭窄の境界条件を前記血管及び前記狭窄の提示を含む画像データに基づき推定するステップであって、前記境界条件は、前記狭窄の推定出口流量レート又は前記狭窄の推定出口抵抗値のうちの少なくとも１つを含む、ステップ、を有する。
【００１０】
別の態様では、システムは、狭窄の未知の冠血流予備量比の冠血流予備量比分類、前記分類又は前記推定冠血流予備量比の信頼区間に基づく前記狭窄の推定冠血流予備量比、又は前記狭窄の冠血流予備量比を決定するために計算流体力学シミュレーションの前記狭窄の少なくとも１つの境界条件、のうちの少なくとも１つを決定するデータ分析器、を有する。
【００１１】
本発明は、種々のコンポーネント及びコンポーネントの配置の形式、並びに種々のステップ及びステップの配置の形式を取ることができる。図面は、好適な実施形態を説明することのみを目的とし、本発明を限定するものと見なされるべきではない。
【図面の簡単な説明】
【００１２】
【図１】データ分析器に接続する画像システムを概略的に示す。
【図２】図１のデータ分析器の一例を示す。
【図３】図１のデータ分析器の別の例を示す。
【図４】図２のデータ分析器に従う例示的な方法を示す。
【図５】図３のデータ分析器に従う例示的な方法を示す。
【発明を実施するための形態】
【００１３】
以下に、特定の抽出された特徴に基づき未知のＦＦＲを分類し、特定の抽出された特徴に基づきＦＦＲを推定し、推定したＦＦＲの信頼区間を決定し、及び／又はシミュレーションによりＦＦＲを決定するために境界条件を決定する、非限定的なアプローチを記載する。
【００１４】
図１は、ＣＴスキャナのような画像システム１００を概略的に示す。画像システム１００は、一般静止ガントリ１０２及び回転ガントリ１０４を有する。回転ガントリ１０４は、静止ガントリ１０２により回転可能に支持され、ｚ軸周りの検査領域１０６の周りを回転する。長いすのような患者支持体１０８は、オブジェクト又は被写体を検査領域１０６内で支持する。
【００１５】
Ｘ線管のような放射線源１１０は、回転ガントリ１０４により回転可能に支持され、回転ガントリ１０４と一緒に回転し、検査領域１０６を横切る放射線を発する。放射線感受性検出器アレイ１１２は、検査領域１０６に渡り放射線源１１０と反対の角度弧に内在する。放射線感受性検出器アレイ１１２は、検査領域１０６を横切る放射線を検出し、検出した光子毎に放射線を示す信号を生成する。
【００１６】
再構成器１１４は、投影を再構成し、検査領域１０６内に置かれた被写体又はオブジェクトのスキャンされた部分を示す体積画像データを生成する。汎用コンピューティングシステム又はコンピュータは、オペレータ制御装置１１６として機能する。制御装置１１６は、モニタのような人間が読み取り可能な出力装置と、キーボード、マウス、等のような入力装置と、を有する。制御装置１１６に存在するソフトウェアは、オペレータにＧＵＩ（graphical  user  interface）又は他のものを介してスキャナ１００と相互作用させ及び／又はそれを操作させる。
【００１７】
データ分析器１１８は、少なくとも、狭窄を含む関心のある血管（例えば、冠状動脈、大脳動脈）を表す画像データを処理するよう構成される。画像データは、画像システム１００及び／又は他の画像システムにより生成され得る。以下に詳述するように、非限定的な例では、データ分析器１１８は、狭窄の外側の境界条件（例えば、流量、圧力、及び／又は抵抗）のような特徴を決定し、狭窄のＦＦＲ値を決定するために計算流体力学アプローチを用いてこれらの特徴を利用する。
【００１８】
また、以下に詳述するように、データ分析器１１８は、特定の特徴に基づき、未知のＦＦＲを所定の分類セットのうちの１つに分類する、又は推定したＲＲＦの信頼区間を決定する、のうちの少なくとも１つができる。以上は、非侵襲性、ロバスト、正確且つ高速シミュレーション境界条件決定、ＦＦＲ分類及び／又は推定（信頼区間を有する又は有しない）を、簡単なワークフロー、短い推定時間、及び少ないユーザ負荷で可能にする。
【００１９】
データ分析器１１８は、物理メモリ及び／又は他の非一時的記憶媒体のような１又は複数のコンピュータ可読記憶媒体に格納された１又は複数のコンピュータ可読命令を実行する１又は複数のコンピューティングシステムの１又は複数のプロセッサを実装され得る。プロセッサは、追加で又は代替で、搬送波、信号及び／又は他の一時的媒体により伝達される１又は複数のコンピュータ可読命令を実行しても良い。
【００２０】
図２は、データ分析器１１８の一例を示す。
【００２１】
関心組織（tissue  of  interest：ＴＯＩ）識別器２０２は、関心組織（ＴＯＩ）２０４を表す画像データを含む被写体データを入力として得て、画像データ内の関心組織２０４を識別する。関心組織２０４は、予め定められ、或いはユーザの選択した関心組織、規定関心組織、等を示す信号により識別され得る。ＴＯＩ識別器２０２は、関心組織を識別するために自動的及び／又は手動アプローチを利用し得る。関心組織の一例は、狭窄を有する血管のような管状組織である。しかしながら、関心組織は他の組織でもあり得る。
【００２２】
ＴＯＩ形状抽出器２０６は、識別された関心組織から形状情報を抽出する。ＴＯＩ識別器２０２は、形状情報を抽出するために自動的及び／又は手動アプローチを利用し得る。例として、抽出は、冠動脈のために調整された能動輪郭及びレベルセットによるセグメント化を利用することを含んでも良く、次に高品質区分を生成するために任意的な追加の手動編集が続く。ここで、関心組織は、冠動脈である。この及び／又は他の抽出から、起始部における有効径Ｄ０及び／又は他の関心組織形状が決定できる。
【００２３】
パラメータ決定器２０８は、被写体データに基づき少なくとも１つのパラメータを決定する。例えば、血管狭窄の状況では、パラメータ決定器２０８は、入口流量レートＱ０（つまり、起始部における流量レート）を決定し得る。これは、体重、体格指数（body  mass  index：ＢＭＩ）、性別、年齢、血液検査結果、解剖学的画像データ（例えば、心筋塊、及び推定１回拍出量）、及び／又は被写体データのような被写体データに基づき達成できる。通常、このデータは、サポートベクタマシン（ＳＶＭ）のような分類器、ランダムフォレスト（random  forest）、及び／又は他の分類器を用いるトレーニングセットのための特徴として扱われる。本例では、モデルを訓練するための「グランドトゥルース」データは、心臓カテーテル術からの情報、例えばドップラー誘導ワイヤ及び／又は他の機器のような流量レートメータからのデータを含み得る。
【００２４】
境界条件推定器２１０は、ＴＯＩ形状抽出器２０６により抽出された形状（例えば、起始部における有効径Ｄ０）及びパラメータ決定器２０８により決定されたパラメータ（例えば、入口流量レートＱ０）に基づき、少なくとも１つの境界条件（例えば、血管出口の流量レートＱ、平均速度、抵抗、等）を推定する。例として、境界条件推定器２１０は、式１に示すように、Ｑ０及びＤ０の関数として出口における流量レート境界条件Ｑを推定し得る。
式１：
【００２５】
【数１】
0006302922.tif 000002
ここで、Ｄは各出口における有効径である。平均速度は、式２に示すように決定できる。
式２：
【００２６】
【数２】
0006302922.tif 000003
【００２７】
境界条件推定器２１０は、式３に示すように、抵抗境界条件を推定できる。
式３：
【００２８】
【数３】
0006302922.tif 000004
【００２９】
健常な血管では次式の通りである。
【００３０】
【数４】
0006302922.tif 000005
ここで、Ｐ０は、起始部における大動脈血圧であり、上腕血圧を測定することにより決定でき、健常組織の抵抗値Ｒｈは、式４に基づき決定できる。
式４：
【００３１】
【数５】
0006302922.tif 000006
【００３２】
狭窄血管では、圧力は有意に降下し得る。したがって、起始部圧力は信頼できる推定ではなく、狭窄組織の抵抗値ＲＳは、以下の反復的アプローチに基づき推定できる。
【００３３】
１．次式により初期化する。
【００３４】
【数６】
0006302922.tif 000007
２．高速粗ＣＦＤシミュレーションを実行し、次式により抵抗値を更新するために導出した出口圧力を用いる。
【００３５】
【数７】
0006302922.tif 000008
３．次式になるまで繰り返す。
【００３６】
【数８】
0006302922.tif 000009
【００３７】
ＣＦＤプロセッサ２１２は、例えば偏微分方程式を用いて、計算流体力学（ＣＦＤ）シミュレーションを実行する。通常、ＣＦＤは、流体の流れに関する問題を解き分析するために数値方法及び／又はアルゴリズムを用いる流体力学アプローチである。ＣＦＤプロセッサ２１２は、境界条件推定器２１０により決定される境界条件により定められる面と共に計算を実行する。しかしながら、他の境界条件も利用できる。一例では、出力は、全ての点における圧力及び速度の完全な体積情報を有する。
【００３８】
任意的な最適化器２１４は、境界条件を最適化するために用いることができる。ＣＦＤシミュレーションは、出力速度及び圧力の両方を生成する。これにより、出口抵抗値が計算できる。出口速度は、抵抗境界条件に基づき決定され、出口抵抗値は、速度境界条件に基づき決定される。したがって、境界条件は、式５に示すように、エネルギを最小化することにより最適化できる。
式５：
【００３９】
【数９】
0006302922.tif 000010
ここで、
【００４０】
【数１０】
0006302922.tif 000011
及び
【００４１】
【数１１】
0006302922.tif 000012
は、粗ＣＦＤシミュレーションに基づき決定される。
【００４２】
ＦＦＲ決定器２１６は、ＣＦＤ結果に基づきＦＦＲを決定する。これは、推定及び／又は最適化推定境界条件に基づきＦＦＲを決定することを含む。このアプローチは、抽出された形状の外側の境界条件が良好に定められないアプローチのような境界条件推定器２１０により推定された境界条件を有しないでＦＦＲを決定することに比べて、より正確なＦＦＲ決定を提供する。
【００４３】
境界条件推定器２１０により推定された境界条件は、任意で、後に詳述するように、図３のデータ分析器１１８に接続して用いることができる。
【００４４】
図３は、データ分析器１１８の別の例を示す。
【００４５】
関心組織（ＴＯＩ）セグメント化器３０２は、被写体データを入力として得て、その中の画像データから関心組織（ＴＯＩ）をセグメント化する。上述のように、関心組織２０４は、予め定められ、或いはユーザの選択した関心組織、規定関心組織、等を示す信号により識別され得る。ＴＯＩセグメント化器３０２は、関心組織をセグメント化するために自動的及び／又は手動アプローチを利用し得る。心臓への適用では、これは、心臓の少なくとも一部をセグメント化することを含み、例えば、冠状動脈セグメント化及びラベル付け、冠状動脈中心線抽出、心室セグメント化及びラベル付け、等を含む。
【００４６】
特徴抽出器３０４は、特徴を抽出する。これは、被写体データ、セグメント化されたデータ、境界条件及び／又は他の情報から特徴を抽出することを含む。境界条件の例は、図２の境界条件推定器２１０により推定された境界条件、及び／又は他の境界条件を含むが、これらに限られない。セグメント化されたデータからの特徴の例は、狭窄百分率、狭窄長、大動脈と狭窄との間の距離、狭窄位置（動脈ラベル）、心臓形状詳細、例えば心室サイズ、心筋塊、冠動脈形状詳細、冠動脈中心線詳細、及び／又は他の情報を含むが、これらに限定されない。
【００４７】
画像データからの特徴の例は、狭窄領域の入口周辺のＨＵ（又は強度の一部）のｉ番目パーセンタイル、狭窄領域の中央周辺のＨＵのｉ番目のパーセンタイル、狭窄後の中央値ＨＵ／狭窄前の中央値ＨＵ、狭窄領域の入口、出口及び中心周辺のＨＵプロファイル、血管全体に沿ったＨＵプロファイル、及び／又は他の情報を含むが、これらに限定されない。被写体データからの特徴の例は、検査結果（例えば、ヘモグロビン）、バイタルサイン（例えば、血圧、等）、患者の病歴、患者家族の病歴、及び／又は他の情報を含むが、これらに限定されない。
【００４８】
モデラ３０６は、ＦＦＲ分類器３０８、ＦＦＲ推定器３１０、及び／又は信頼レベル決定器３１２のうちの１又は複数を有する。モデラ３０６は、例えば、患者の前のカテーテル室（cath−lab）手術からの「グランドトゥルース」結果を有するトレーニングセットで予め訓練される。モデラ３０６は、例えば線形判別分析（linear  discriminant  analysis：ＬＤＡ）、最適判別分析（optimal  discriminant  analysis：ＱＤＡ）、単純ベイズ、サポートベクタマシン（support  vector  machine：ＳＶＭ）、ランダムツリー、多項式関数、ガウス混合、決定木、ニューラルネットワーク、等に基づく統計的又は機械学習であり得る。
【００４９】
通常、機械学習モデルは、数値（又はパターン）のベクトルを入力として得て信号値を出力する関数である。数値のベクトルは、特定の順序の測定値、例えば血圧、年齢、性別、等を有する。ベクトル内の各要素は、特徴と呼ばれる。図示の例では、ベクトルは、上述の特徴を有する。モデルは、新しいパターンが与えられると調整され得るパラメータを含む。モデルの訓練は、監督下の学習又は半監督下の学習アプローチを用いて行うことができる。
【００５０】
ＦＦＲ分析器３０８は、抽出された特徴に基づき、所定のクラスセットのうちの１つに未知のＦＦＲを分類する。本例では、出力値は、クラス、例えば「高リスク」のクラス、「中リスク」のクラス、及び「低リスク」のクラスを表す数値である。このような分類の例は、深刻ではない（ＦＦＲ＞０．９）、中程度（０．８＜ＦＦＲ＜０．９）、及び非常に重症（ＦＦＲ＜０．７）を有する。
【００５１】
ＦＦＲ推定器３１０は、点推定のように、ＦＦＲを推定するために構成される。一例では、ＦＦＲ推定器３１０は、トレーニングセット全体から又はトレーニングセットからの関連クラスセットのみから、ｋ個の最近傍サンプルに基づく加重補間を用いて推定を実行する。ここで、関連クラスは、上述のＦＦＲ分類コンポーネントで選択されたクラスであり、トレーニングセットは、モデルを訓練するために用いられたセットである。
【００５２】
信頼区間決定器３１２は、推定されたＦＦＲの信頼区間を推定するよう構成される。信頼区間は、トレーニングセット全体又はトレーニングセットからの関連クラスセットのみとして分析されたサンプルを用いて導出される。信頼区間の目的は、推定されたＦＦＲを確実性の境界に与えることである。例えば、９５％の推定ＦＦＲは、区間［０．８６，０．９５］の中にある。区間が狭いほど、確実性が良好である。
【００５３】
図４は、ＦＦＲを決定する例示的な方法を示す。
【００５４】
４０２で、被写体の関心領域がスキャンされる。
【００５５】
４０４で、関心組織（例えば、狭窄を有する血管）は、関心領域に対応するスキャンから画像データの中で識別される。
【００５６】
４０６で、形状情報（例えば、直径、半径、等）は、識別された関心組織から抽出される。
【００５７】
４０８で、少なくとも１つのパラメータは、被写体の被写体データに基づき決定される。
【００５８】
４１０で、関心組織の少なくとも１つの境界条件（例えば、血管出口の流量レートＱ、平均速度、抵抗値、等）は、例えば抽出された形状情報及び少なくとも１つのパラメータに基づき推定される。
【００５９】
４１２で、任意で、少なくとも１つの境界条件は最適化される。
【００６０】
４１４で、計算流体力学（ＣＦＤ）シミュレーションは、少なくとも１つの境界条件又は最適化された少なくとも１つの境界条件に基づき実行される。
【００６１】
４１６で、ＦＦＲは、ＣＦＤ結果に基づき関心組織について決定される。
【００６２】
４１８で、ＦＦＲは視覚的に提示される。
【００６３】
図５は、未知のＦＦＲを少なくとも分類する例示的な方法を示す。
【００６４】
５０２で、被写体の関心領域がスキャンされる。
【００６５】
５０４で、関心組織は、スキャンの画像データからセグメント化される。
【００６６】
５０６で、特徴は、少なくともセグメント化されたデータから抽出される。
【００６７】
５０８で、特徴は、図４で決定された境界条件から抽出される。
【００６８】
５１０で、特徴は、画像データから抽出される。
【００６９】
５１２で、特徴は、検査結果、被写体の履歴、被写体家族の履歴、等のような被写体データから抽出される。
【００７０】
代替及び／又は追加の特徴が他の例で抽出される。
【００７１】
５１４で、関心組織の未知のＦＦＲは、抽出された特徴に基づき所定のクラスセットのうちの１つとして分類される。
【００７２】
５１６で、追加又は代替で、ＦＦＲは、抽出された特徴に基づき未知のＦＦＲについて推定される。
【００７３】
５１８で、任意で、推定されたＦＦＲの信頼区間が決定される。
【００７４】
５２０で、分類、推定されたＦＦＲ又は信頼区間のうちの少なくとも１つは視覚的に提示される。
【００７５】
以上は、コンピュータプロセッサにより実行されると該プロセッサに上述の動作を実行させる、コンピュータ可読記憶媒体に符号化され又はそれに埋め込まれるコンピュータ可読命令により実装されてもよい。追加又は代替で、少なくとも１つのコンピュータ可読命令は、信号、搬送波、又は他の一時的媒体により伝達される。上述の動作の順序は限定的でないことが理解されるべきである。したがって、他の順序が本願明細書で考えられる。さらに、１又は複数の動作は省略されても良く、及び／又は１又は複数の追加動作が含まれても良い。
本発明は、好適な実施形態を参照して説明された。前述の詳細な説明を読み理解することで、変更及び代替が可能である。本発明は、このような全ての変更及び代替は添付の請求の範囲の範囲又はその等価物に包含されるものと見なされる。
【図１】
0006302922.tif 000013
【図２】
0006302922.tif 000014
【図３】
0006302922.tif 000015
【図４】
0006302922.tif 000016
【図５】
0006302922.tif 000017